(57)【要約】  リバーシブル玩具は第１の外形および第２の外形を含み、各外形は、上部およびベース部を有する中空のボディ部を含み、各外形は、円錐形状の中空および共有のベース部を有する。玩具は、共有のベース部を介して玩具を裏返すことにより、第１の位置と第２の位置との間でリバーシブルであり、この結果、外形のうちの一方は、もう一方が可視可能であるとき、実質的に隠される。【選択図】図１
2017522095.tif 000002
【特許請求の範囲】
【請求項１】
玩具であって、
リバーシブル玩具の一部を形成するように構成される第１の外形を含み、前記外形が、
上部およびベース部を有する実質的に中空のボディ部であって、前記上部が前記ベースよりも狭くなるように前記中空が実質的に円錐形状を含む、前記ボディ部と、
前記リバーシブル玩具を形成するように、前記外形を第２の外形のベース部に固定するように構成される、前記ベース部のベース周辺の留め具と、を含む
玩具。
【請求項２】
請求項１に記載の玩具であって、リバーシブル玩具の一部を形成するように構成される前記第２の外形が、
第２の上部および第２のベース部を有する第２の実質的に中空のボディ部を含み、
前記第２の上部が前記第２のベース部よりも狭くなるように前記第２の外形の前記中空が実質的に円錐形状を含む、玩具。
【請求項３】
請求項２に記載の玩具であって、
第１の位置において、前記第１の外形の前記上部および前記ボディ部が、前記第２の外形の前記ボディ部の前記中空の内側に入り込み且つ適合するように構成され、前記第２の外形が可視可能であるとき、前記第１の外形が実質的に隠され、
第２の位置において、前記第２の外形の前記上部およびボディ部が前記第１の外形の前記ボディ部の前記中空の内側に入り込み且つ適合するように構成され、第１の外形が可視可能であるとき、前記第２の外形が実質的に隠され、
前記玩具が、共有のベース部を介して前記玩具を裏返すことにより第１の位置と第２の位置との間でリバーシブルである、玩具。
【請求項４】
請求項１に記載の玩具であって、前記第１の外形の前記ベース周辺の前記留め具が、ステッチ、スナップ、マグネット、または、ホックおよびループコネクタの１つまたは複数を含む、玩具。
【請求項５】
請求項１に記載の玩具であって、前記第１の外形が、付属物、顔の特徴の要素、または他の付属品を含む、玩具。
【請求項６】
請求項１に記載の玩具であって、前記第１の外形が、内側ライニングを含む、玩具。
【請求項７】
請求項１に記載の玩具であって、前記第１の外形がさらに、前記ベース部の少なくとも一部に沿って配置されるスティッフナを含む、玩具。
【請求項８】
請求項７に記載の玩具であって、前記スティッフナが把持リングを含む、玩具。
【請求項９】
請求項１に記載の玩具であって、前記留め具が、前記第１の外形の前記ベースを前記第２の外形の前記ベースに着脱可能に固定するように構成される、玩具。
【請求項１０】
請求項９に記載の玩具であって、前記第１の外形が１つまたは複数の他の外形と交換可能である、玩具。
【請求項１１】
請求項１に記載の玩具であって、前記第１の外形が、前記上部の端部に頭部を含み、前記頭部が詰め物材料を含む、玩具。
【請求項１２】
リバーシブル玩具であって、
第１の外形および第２の外形を含み、各外形が上部およびベース部を有する中空のボディ部を含み、
前記上部が前記ベース部よりも狭くなるように、各外形の前記中空が円錐形状を有し、
前記第１の外形の前記ベース部が、共有のベース部を形成するように前記第２の外形の前記ベースに取り付けられる、
前記リバーシブル玩具。
【請求項１３】
請求項１２に記載の玩具であって、
第１の位置において、前記第１の外形の前記上部および前記ボディ部が、前記第２の外形の前記ボディ部の前記中空の内側に入り込み且つ適合するように構成され、前記第２の外形が可視可能であるとき、前記第１の外形が実質的に隠され、
第２の位置において、前記第２の外形の前記上部およびボディ部が、前記第１の外形の前記ボディ部の前記中空の内側に入り込み且つ適合するように構成され、前記第１の外形が可視可能であるとき、前記第２の外形が実質的に隠され、
前記玩具が、前記共有のベース部を介して前記玩具を裏返すことにより第１の位置と第２の位置との間でリバーシブルである、玩具。
【請求項１４】
請求項１２に記載の玩具であって、少なくとも１つの外形が付属物、顔の特徴の要素、または他の付属品を含む、玩具。
【請求項１５】
請求項１２に記載の玩具であって、少なくとも１つの外形が内側ライニングを含む、玩具。
【請求項１６】
請求項１２に記載の玩具であって、さらに、前記共有のベース部の少なくとも一部に沿って配置されるスティッフナを含む、玩具。
【請求項１７】
請求項１２に記載の玩具であって、前記第１の外形の前記ベースが前記第２の外形の前記ベースから着脱可能である、玩具。
【請求項１８】
請求項１７に記載のリバーシブル玩具であって、前記第１および第２の外形が１つまたは複数の他の外形と交換可能である、リバーシブル玩具。
【請求項１９】
請求項１２に記載の玩具であって、少なくとも１つの外形が前記上部の端部に頭部を含み、前記頭部が詰め物材料を含む、玩具。
【請求項２０】
請求項１２に記載の玩具であって、前記第１および第２の外形が異なる寸法である、玩具。
【発明の詳細な説明】
【技術分野】
【０００１】
関連出願の相互参照
本出願は、リバーシブルプラッシュ玩具という表題で、２０１４年６月１６日に出願された米国仮特許出願第６２／０１２，５５３号、および、リバーシブルプラッシュ玩具グラブリングという表題で、２０１４年１０月６日に出願された米国仮特許出願第６２／０６０，１４６号の優先権を主張するものであり、そのそれぞれの全体が、参照により本明細書に組み込まれる。
【０００２】
著作権表示
この特許文書の開示の一部には、著作権保護を受けるものが含まれる。そうした著作権の所有者は、何人による、米国特許商標庁のファイルまたは記録にあるとおりの、特許文書または特許開示の複製に対して異議を有さず、それ以外の場合には、すべてのどんな著作権も保護される。
【発明の概要】
【０００３】
実施形態によれば、玩具が開示され、当該玩具は、リバーシブル玩具の一部を形成するように構成される第１の外形（フィギュア）を含み、当該外形は、上部およびベース部を有する実質的に中空のボディ部であって、当該中空が、上部がベースよりも狭くなるように実質的に円錐形状を含む、ボディ部と、リバーシブル玩具を形成するように、第２の外形（フィギュア）のベース部に外形を固定するように構成される、ベース部のベース周辺の留め具と、を含む。
【０００４】
実施形態において、第２の外形は、第２の上部および第２のベース部を有する第２の実質的に中空のボディ部を含み、第２の上部が第２のベース部よりも狭くなるように、第２の外形の中空は実質的に円錐形状を含む。
【０００５】
実施形態において、第１の位置において、第１の外形の上部およびボディ部は、第２の外形のボディ部の中空の内側に入り込んでそこに適合するように構成され、その結果、第２の外形が可視可能であるとき、第１の外形が実質的に隠され、第２の位置において、第２の外形の上部およびボディ部は、第１の外形のボディ部の中空の内側に入り込んでそこに適合するように構成され、その結果、第１の外形が可視可能であるとき、第２の外形が実質的に隠される。玩具は、共有のベース部を介して玩具を裏返すことにより、第１の位置と第２の位置との間でリバーシブルである。
【０００６】
実施形態において、ベース周辺の留め具は、ステッチ、スナップ、マグネット、またはフックおよびループコネクタのうちの１つまたは複数を含む。実施形態において、留め具は、第１の外形のベースを、第２の外形のベースに着脱可能に固定するように構成される。他の実施形態において、留め具は、第１の外形のベースを第２の外形のベースに恒常的に固定するように構成される。
【０００７】
実施形態において、外形は、付属物（ａｐｐｅｎｄａｇｅ）、顔の特徴の要素、または付属品（ａｔｔａｃｈｍｅｎｔ）を含む。実施形態において、外形は内側ライニングを含む。実施形態において、外形はグラブリングを含む。
【０００８】
実施形態において、第１の外形および第２の外形は、寸法が異なる。実施形態において、第１および第２の外形は、１つまたは複数の他の外形と交換可能である。
【図面の簡単な説明】
【０００９】
添付の図面の図において、実施形態が示される。図面は、例示的であることを意味し、限定的であることを意味しない。図面における同様の参照番号は、同様または対応するものを参照するように意図される。
【００１０】
【図１】リバーシブル玩具の実施形態の正面図を示す。
【００１１】
【図２Ａ】破線が内部の内容物を示す、実施形態の正面図を示す。
【図２Ｂ】破線が内部の内容物を示す、実施形態の正面図を示す。
【００１２】
【図２Ｃ】実施形態の側面断面図を示す。
【００１３】
【図３】裏返すプロセスの間の、リバーシブル玩具の実施形態を示す。
【００１４】
【図４】リバーシブル玩具の実施形態の側面断面図を示す。
【００１５】
【図５】異なる寸法を有する外形を備えるリバーシブル玩具の実施形態を示す。
【００１６】
【図６】内側ライニングを備えるリバーシブル玩具の実施形態を示す。
【００１７】
【図７】着脱可能に連結された外形を備えるリバーシブル玩具の実施形態を示す。
【図８】着脱可能に連結された外形を備えるリバーシブル玩具の実施形態を示す。
【００１８】
【図９】スナップコネクタの拡大図を示す。
【００１９】
【図１０】グラブリングを備えるリバーシブル玩具の実施形態の正面図を示す。
【００２０】
【図１１Ａ】その実施形態の上面図を示す。
【図１１Ｂ】その実施形態の上面図を示す。
【００２１】
【図１２Ａ】布地を含むグラブリング備えるリバーシブル玩具の実施形態を示す。
【図１２Ｂ】布地を含むグラブリング備えるリバーシブル玩具の実施形態を示す。
【００２２】
【図１３】布地を含むグラブリングの実施形態の詳細な断面図を示す。
【００２３】
【図１４Ａ】リバーシブル玩具の実施形態のための裁断パターンを示す。
【図１４Ｂ】リバーシブル玩具の実施形態のための裁断パターンを示す。
【００２４】
【図１５Ａ】リバーシブル玩具の実施形態のための裁縫プロセスを示すフローチャートを示す。
【図１５Ｂ】リバーシブル玩具の実施形態のための裁縫プロセスを示すフローチャートを示す。
【発明を実施するための形態】
【００２５】
様々な実施形態が次に、添付の図面を参照して以下でより十分に説明される。図面は、本明細書の一部を形成し、実例として、本発明が実施され得る特定の実施形態を示す。しかし、実施形態は多くの異なる形で具現化されてよく、本明細で述べられる実施形態に限定されると解釈すべきでない。むしろ、本開示が十分かつ完全であり、実施形態の範囲を当業者に十分に伝えるものであるように、これらの実施形態が提供される。それゆえ、以下の詳細な説明は、限定的な意味に受け取るべきでない。
【００２６】
明細書および特許請求の範囲を通して、以下の語は、文脈がそうではないと明確に意味する場合を除いて、本明細書において明確に関連する意味を持つ。「本明細書において（ｈｅｒｅｉｎ）」という語は、本出願と関連する明細書、特許請求の範囲、および図面を指す。本明細書において使用される「１つの実施形態において」という句は、そうである場合もあるが、必ずしも同じ実施形態を参照しない。さらに、本明細書において使用される「別の実施形態において」という句は、そうである場合もあるが、必ずしも異なる実施形態を参照しない。それゆえ、後述される本発明の様々な実施形態は、本発明の範囲および精神から逸脱することなく容易に組み合わせてよい。
【００２７】
さらに、本明細書で使用されるように、「または（ｏｒ）」という語は、包括的な「ｏｒ」演算子であり、文脈がそうではないと明確に意味する場合を除いて、「および／または」という語と同等である。「〜に基づいて（ｂａｓｅｄ  ｏｎ）」という語は、排他的なものでなく、文脈がそうではないと明確に意味する場合を除いて、説明されない追加のファクタに基づくことを可能にする。さらに、明細書を通して、「ａ」、「ａｎ」および「ｔｈｅ」の意味は、複数形の参照を含む。「ｉｎ」の意味は、「ｉｎ」および「ｏｎ」の意味を含む。
【００２８】
本開示において、特に特許請求の範囲および／または段落において、「ｃｏｍｐｒｉｓｅｓ」、「ｃｏｍｐｒｉｓｅｄ」、「ｃｏｍｐｒｉｓｉｎｇ」等などの語が、米国特許法においてそれらに帰する意味を有し得ることに留意されたい。すなわち、それらは、これに限定されないが「ｉｎｃｌｕｄｅｓ」「ｉｎｃｌｕｄｅｄ」、「ｉｎｃｌｕｄｉｎｇ」等を意味し、明確に列挙されない要素を可能にする。「ｃｏｎｓｉｓｔｉｎｇ  ｅｓｓｅｎｔｉａｌｌｙ  ｏｆ」や「ｃｏｎｓｉｓｔｓ  ｅｓｓｅｎｔｉａｌｌｙ  ｏｆ」などの語は、米国特許法においてそれらに帰する意味を有する。すなわち、それらは、明確に列挙されない要素を可能にするが、先行技術に見られる要素、または、本発明の基本的または新規の特徴に影響を及ぼす要素を排除する。これらおよびその他の実施形態が、開示され、または、以下の説明から明らかとなり、また以下の説明により包含される。
【００２９】
「ａ」、「ａｎ、」「少なくとも１つの（ａｔ  ｌｅａｓｔ  ｏｎｅ）」、「１つまたは複数（ｏｎｅ  ｏｒ  ｍｏｒｅ）」といった語および同様の語の使用は、特徴または要素のうちの１つ、および、２つ以上の特徴を示す。特徴を参照するための「ｔｈｅ」という語の使用は、特徴および要素のうちの１つのみを意味するものでない。
【００３０】
用語の前に序数（「第１」「第２」「第３」等など）が形容詞として使用される場合、そうした序数は、（特にまたは明確にそうではないと指定される場合を除いて）例えば、特定の特徴を、同一の用語または同様の用語により説明される別の特徴から区別するために、特定の特徴を示すためだけに使用される。
【００３１】
同様に、参照番号ＡおよびＢが実施形態の要素を参照するために、説明において使用されるが、それらは、実施形態の明確な説明を提供する目的で、便宜上使用される。それらは、動作の任意の種類の順番またはシーケンスを必要とすることを意図するものでなく、また、完全に交換可能である。
【００３２】
次に図を参照すると、図１は、リバーシブル玩具の実施形態１０の正面斜視図を示す。玩具１０は、外形（形状）Ａ１２ａおよび外形（形状）Ｂ１２ｂである２つの動物形状として、示される実施形態に描かれた２つの外形１２から構成される。各外形は、ボディ１６ａ、１６ｂ、上部１８ａ、１８ｂ、およびベース２０ａ、２０ｂを含む。示された実施形態において、外形Ａ１２ａのベース２０ａは、外形Ｂ１２ｂのベース２０ｂに連結されて、共有のベース２０を形成する。各外形１２ａ、１２ｂのボディ１６ａ、１６ｂは、本明細書において説明されるように、もう一方の外形１２ａ、１２ｂを内側に収容することができるように構成される。例えば、各ボディ１６ａ、１６ｂは、実質的に中空であってよい。
【００３３】
図２Ａはリバーシブル玩具１０の実施形態を示しており、破線で示された外形Ｂ１２ｂは、外形Ａ１２ａのボディ１６ａ内に完全に収容されている。図２Ｃは、その側面断面図を示す。この位置では、外形Ａ１２ａが外側外形であり、視覚可能な唯一の外形である。外形Ｂ１２ｂは内側外形であり、外形Ａ１２ａ内に隠れており、且つ、外形Ａ１２ａのための詰め物を提供する。図２Ｂは、図２Ａから裏返されたリバーシブル玩具の実施形態１０を示し、ここで破線で示された外形Ａ１２ａは、外形Ｂ１２ｂのボディ１６ｂ内に完全に収容されている。この位置では、外形Ｂ１２ｂが外側外形であり、視覚可能な唯一の外形である。外形Ａ１２ａは内側外形であり、外形Ｂ１２ｂ内に隠れており、且つ、外形Ｂ１２ｂのための詰め物を提供する。図２Ｃはその側面断面図を示す。
【００３４】
図面に示された実施形態は、外側外形内に完全に収容される内側外形を描くものである。しかし、いくつかの実施形態は、本発明の範囲および精神から逸脱することなく、外側外形内に完全に収容されない内側外形の要素を含むように構成されてもよい。
【００３５】
図３は、裏返すプロセスの間のリバーシブル玩具の実施形態１０を示す。玩具１０は、玩具１０のベース２０を安定させて、同時に、ここでは外形Ａ１２ａである外側外形をベース２０に向かって押すことにより裏返されるように構成される。ここでは外形Ｂ１２ｂである内側外形は、外側外形１２ａから押し出された場所に出現する。裏返すプロセスを続けると、外形Ｂ１２ｂを露出させるように玩具１０を「裏を表側に」するため、外形Ａ１２ａは、ベース２０に向かって、また、外形Ｂ１２ｂのボディ１６ｂの内側へ押され、これにより、外形Ａ１２ａは、外形Ｂ１２ｂ内に隠れる。裏返すプロセスが完了すると、外形Ｂ１２ｂが視覚可能な唯一の外形であり、外形Ａ１２ａは、概ねまたは完全に外形Ｂ１２ｂ内に収容される。外形Ａ１２ａは内側外形となり、外形Ｂ１２ｂ内に隠れ、且つ、外形Ｂ１２ｂのための詰め物を提供する。
【００３６】
図４は、リバーシブル玩具１０の側面断面図を示す。実施形態において、外形１２ａ、１２ｂのそれぞれは実質的に円錐の形であり、（動物形状の頭部として実施形態において描かれた）玩具の上部１８ａ、１８ｂはベース２０よりも幅が狭い。図４に図示されるように、両方の外形が露出されたときに、実質的に二重円錐（ダブルコーン）形状を形成するように、外形Ａ１２ａのベース２０は、外形Ｂ１２ｂのベース２０に取り付けられる。
【００３７】
二重円錐の形は、一方の外形１２がもう一方内に適合するように構成される。二重円錐形状は、複数の大きさのリバーシブル玩具を形成するように構成されてよい。
【００３８】
実施形態において、二重円錐形の玩具は、２つの外形が異なる大きさ又は長さから成るように構成されてもよい。それらの実施形態の場合、２つの外形のベース２０が互いに接着されるとき、玩具が依然としてリバーシブルであり、２つの外形の長さが異なることによる影響を受けないように、二重円錐が構成される。これにより、母親と赤ちゃん、異なる動物、魔法使いと戦士、ロボットと人間、ロボットとロボット、人間と超人、人間と怪物、船長と宇宙船など、多数の外形ペア構成が可能となり、実際は、組合せは想像によってのみ限定される。
【００３９】
各形状に組み込まれる特性または特徴の付加に対する制限は最小であるので、二重円錐の形におけるベース２０を介した連結はさらに、使用される２つの外形の様々な変形形態を可能にする。例えば、各外形がもう一方とは無関係に構成できるので、外形は、共通の継ぎ目などの構成材料を必要としない（または、ベースでのみの継ぎ合わされる）。特徴は、足、尾、付属物、ナセル、アクセサリー、または他のディテールを含んでよい。或る実施形態において、２つの外形のベース周辺の寸法は実質的に同じであるが、それぞれ個々の外形の大きさおよび特徴は、玩具の裏返し可能な態様を損なうことなく、変更してよい。
【００４０】
例えば、図５は、第１の外形１２ａの寸法が第２の外形１２ｂの寸法よりも大きい実施形態を示す。
【００４１】
さらに、実施形態において、二重円錐の形は、玩具への構造的な支持を提供する。一方の外形のみが露出されるように玩具が配置されるとき、外側外形の上部に対してより大きな寸法のベースが、玩具が潰れたり傾いたりするのを防ぐのに役立つ。
【００４２】
実施形態において、一方または両方の外形は、外形の上部に位置される、随意に詰め物で充填された頭部を含む。十分な支持がなければ、外形のボディは、頭部の大きさおよび重さを受けて潰れようとする。しかし、玩具の二重円錐形状は、玩具が、そのベース上に真っすぐ位置されたままであることを可能にし、頭部は潰れることなく上部でしっかりとバランスを取る。この方法で、外形の上部は、より大きなベース領域にわたって分布されてよい。同様に、外形の上部と比較してより大きなベース寸法は、玩具が、傾いたりバランスを崩したりするのを防ぐのに役立つ。
【００４３】
或る実施形態において、ベース２０と各外形の上部１８との寸法の差は、二重円錐の形の意図された機能を達成するために、大きくある必要はない。さらに、ボディ１６の内部空間が実質的に円錐形であっても、実施形態は、最終的な形において円錐形の外観を有する必要はない。例えば、詰め物、付属物、または追加のキャラクターの特徴が、玩具の外側の円錐形の外観を不明瞭にでき、一方で、本明細書において説明されるように、玩具１０が裏返しにできることを保持するため、玩具１０の内部において二重円錐形状を保つことができる。
【００４４】
図６に示すように、実施形態において、外形は、内側ライニング２６により作られる。或る実施形態において、ライニング２６は、コットン、ポリフィル（ｐｏｌｙ‐ｆｉｌｌ）、もしくは任意の他の柔らかい材料、または材料の組合せを含んでよい。ライニングは、玩具の柔らかなプラッシュの手触りを付加できる。また、ライニングは、追加の構造的支持を玩具に提供し、外形の二重円錐の形を補強できる。玩具１０がリバーシブルであることを可能にするように適切なフィット性を確実にするため、ライニング２６の厚さが外形１２のボディ１６の所望の内部のボリュームに影響を及ぼし得ることが、本明細書における教示により知らされる当業者には明らかであろう。
【００４５】
図７〜図８は、２つの外形１２ａ、１２ｂが着脱可能に連結されたリバーシブル玩具の実施形態１０を示す。互いに縫い付けることなどにより、２つの外形を恒常的に互いに取り付けるのではなく、外形１２ａ、１２ｂは、スナップ２４などのコネクタを使用して連結されてよい。スナップ２４は、ベース２０の周辺に配置される。外形が着脱可能であるので、外形を交換することにより、多数の外形のペアを作ることができる。例えば、外形Ａは外形Ｂとペアにされてよく、または、外形Ｃは、Ａ〜Ｃのペア、またはＢ〜Ｃのペアを作るために、外形Ａまたは外形Ｂのいずれかと交換されてよい。これにより、２つの外形が恒常的に連結される実施形態により可能であるよりも、一層多くのユーザの選択肢および多様性が提供される。図９は、スナップコネクタ２４の拡大図を示す。
【００４６】
スナップ２４を使用した実施形態が示されているが、任意の種類および数の着脱可能なコネクタが使用されてよい。例えば、或る実施形態において、フックおよびループコネクタが、２つの外形を連結するのに使用されてよい。別の実施形態において、マグネットが２つの外形を連結するのに使用されてよい。
【００４７】
図１０〜図１３は、グラブ（握り）リング２２などのスティッフナ（ｓｔｉｆｆｅｎｅｒ）を含むリバーシブル玩具の実施形態１０を示す。グラブリング２２は、２つの外形１２ａ、１２ｂ間の接合部に配置され、一方の外形がもう一方の内側に収容されるとき、玩具のベース２０である。グラブリング２２は、玩具を裏返すとき、ユーザのための握る場所を提供し、ベース２０の開口が潰れるのを防ぐのを助ける。これにより、一方の外形を別のものに裏返すことが促進される。グラブリング２２は、さらに、玩具１０に構造的な支持を提供して、裏返し易さを促進し、また、玩具１０が真っすぐに座るのを助ける。図１０および図１１Ａに示した実施形態のグラブリング２２は、ひも材料から作られている。図１１Ｂは、グラブリング２２がプラスチックまたはゴム材料を含む実施形態を示す。実施形態において、グラブリング２２は、ナイロン、ゴム、糸、ポリプロピレン、金属、布地、または任意の他の適切な材料のいずれかを含んでよい。示された実施形態において、グラブリング材料は、玩具１０のベース２０に付加される。しかし、他の実施形態において、グラブリングは、玩具１０に一体化した材料を使用して構成されてもよい。グラブリング２２は、玩具１０の外側に可視可能である必要はない。例えば、実施形態において、グラブリング２２が布地により覆われるように、またはそうでない場合にはユーザに見えないように、グラブリング２２はベース２０に一体化される。
【００４８】
図１２Ａは、グラブリング２２が布地を含むリバーシブル玩具の実施形態１０を示す。この実施形態において、グラブリング２２は、玩具１０のベース２０周囲のリップまたは端部を作るように布地を縫い合わせることによって構成される。図１２Ｂは、リバーシブル玩具の実施形態１０を示しており、破線で示された外形Ｂ１２ｂが外形Ａ１２ａのボディ１６ａ内に完全に収容されている。上記で説明した通り、グラブリング２２はさらに、構造的な支持を玩具１０に提供し、これにより、裏返し易さが促進され、また、玩具１０が真っすぐに座るのを助ける。
【００４９】
図１３は、この方法で構成されるグラブリング２２の実施形態の詳細な断面図を示す。
【００５０】
リバーシブル玩具の製造方法は以下の通りである。例えば、第１の外形のパターンが提供される。例えば、図１４Ａ〜図１４Ｂは、リバーシブルプッシュ玩具の実施形態のための裁断パターンを示す。このパターンは、布地から切り取られ、図１５Ａ〜図１５Ｂに示した対応するフローチャートに示されるプロセスにより互いに縫い合わされる。図１４〜図１５に示した実施形態は、ゾウの外形（具体的には、図１４Ａおよび１５Ａ）ならびにサイの外形（具体的には、図１４Ｂおよび１５Ｂ）を含む。
【００５１】
例えば、図１５Ａに示すように、手順は次の通りである。
【００５２】
ブロック２０１：Ｐ１［下あご‐２枚］：縫い合わせる
【００５３】
ブロック２０２：Ｐ１‐ＤｃをＰ３［側面］‐Ｄｃへ
【００５４】
ブロック２０３：Ｐ２［鼻］‐ＤｃをＰ３‐Ｄｃへ、Ｐ３‐Ｅａへ縫い続ける
【００５５】
ブロック２０４：Ｐ４［耳‐４枚］：縫い合わせる
【００５６】
１２０
ブロック２０５：Ｐ４‐ＥｂをＰ３‐Ｅｂへ、Ｐ３‐Ｅｃへ縫い続ける
【００５７】
ブロック２０６：Ｐ５［毛］‐ＥｅをＰ３−Ｅｅへ
【００５８】
ブロック２０７：Ｐ６［後頭部］‐ＥｄをＰ３‐Ｅｄへ、Ｐ３‐Ｅｃへ縫い続ける
【００５９】
ブロック２０８：Ｐ９［左前脚］‐ＢａをＰ８［前ボディ］‐Ｂａ＿左へ
【００６０】
ブロック２０９：Ｐ７［後ろ足］‐Ｂｂ＿左をＰ８‐Ｂｂ＿左へ
【００６１】
ブロック２１０：Ｐ１０［後ボディ］‐ＡｂをＰ８‐Ａｂへ、Ｐ８‐Ｂｄへ縫い続ける
【００６２】
ブロック２１１：Ｐ１１［爪‐４枚］‐Ｃａ＿左をＰ９‐Ｃａへ、Ｐ１０‐Ｃａ［前足］へ縫い続ける
【００６３】
ブロック２１２：Ｐ１２［長靴‐４枚］‐Ｃｂ＿左をＰ９‐Ｃｂへ、Ｐ１１‐Ｃｃ＿左へ縫い続け、Ｃｃ＿右へ縫い続け、Ｐ１０‐Ｃｂへ縫い続け、Ｐ１０＆Ｐ８‐Ａａへ縫い続け、Ｐ７‐ＢｃおよびＰ１０‐Ｂｃへ縫い続ける
【００６４】
ブロック２１３：左後ろ足の縫い付け：ブロック２１１を繰り返す
【００６５】
ブロック２１４：Ｐ１２‐Ｃｂ＿左をＰｌＯ‐Ｃｂへ、Ｐ８ＡｃおよびＰｌＯ‐Ａｃへ縫い続ける
【００６６】
ブロック２１５：右側でブロック２１０からブロック２１４を繰り返す
【００６７】
ブロック２１６：右頭部のため、ブロック２０３からブロック２０７を繰り返す
【００６８】
ブロック２１７：右頭部と左を互いに縫い合わせる
【００６９】
ブロック２１８：Ｐ６‐ＤａをＰｌＯ‐Ｄａへ、Ｐ３‐Ｄｂへ縫い続け、右側へ縫い続ける
【００７０】
ブロック２１９：目を固定
【００７１】
ブロック２２０：Ｐ１５［コットン］：頭部およびボディ付属品を取り付け
【００７２】
ブロック２２１：Ｐ３［しっぽ］‐ＣａをＰ１４‐Ｃａへ、折りたたみ、縫い、裏返す
【００７３】
ブロック２２２：Ｐ１３‐ＣｂをＰｌＯ‐Ｃｂへ
【００７４】
図１５Ｂに示すように、手順は次の通りである。
【００７５】
ブロック３０１：Ｐ１［角］‐ＡｃをＰ２［顔］‐Ａｃへ
【００７６】
ブロック３０２：Ｐ３［耳‐４枚］：互いに縫い合わせ、Ｐ３‐ＡｄをＰ２‐Ａｄへ
【００７７】
ブロック３０３：Ｐ４［後頭部］‐ＡａをＰ２‐Ａａへ
【００７８】
ブロック３０４：Ｐ５［首］をＰ２‐Ａｂへ
【００７９】
ブロック３０５：反対側のため、ブロック３０１〜３０４を繰り返す
【００８０】
ブロック３０６：ブロック２０８からブロック２１４のゾウのステッチを繰り返す
【００８１】
ブロック３０７：Ｐ４‐ＤａをＰｌＯ‐Ｄａへ、Ｐ２‐Ａ＊Ｐ１０‐Ａ＊へ縫い続け、Ｐ５‐ＤｂおよびＰ８‐Ｄｂへ縫い続け、右側へ縫い続ける
【００８２】
ブロック３０８：ゾウのステッチのブロック２２０を繰り返す
【００８３】
ブロック３０９：ゾウと角の底部を互いに縫い合わせる
【００８４】
２つの外形が組み合わされると、そうした２つの外形は、それらのベースで連結される。随意に、外形に組み込まれるパッドまたはクッション材の１つまたは複数の層があってもよい。例えば、頭部要素は詰め物を含んでよい。
【００８５】
実施形態において、リバーシブル玩具１０は、布地、繊維またはプラスチック材料の１つまたは複数を含む。目、鼻、口、および他の特徴ならびに付属品が、外形に随意に取り付けられてよい。付属品のいずれの鋭利な端部も、それらをより安安全でより危険のないものにするために、無くされてよく、および／または、鈍くされてよい。実施形態において、機械ステッチの大部分が、完成品において縫い目が見えないように、布地の裏面で行われる。機械ステッチが完了すると、玩具は、布地の縫われていない部分を介して、表を外側にされる。縫われていない部分は、その後、手縫いで閉じられる。必要があれば、布地を引っ張ったり、つないだりすることにより玩具の所望の表情を引き出すために、追加の裁縫が行われる。いくつかの実施形態は、玩具上にペイントされた、縞または点などの追加の印を含む。玩具はさらに、付着した繊維を取り除くために、継ぎ目上にワイヤブラシを施されてよく、また、エアブラシを吹き付けられてもよい。理解されるように、いずれのステッチも、機械ステッチまたはハンドステッチによるものであってよい。
【００８６】
上記で開示された特定の実施形態は例示的なものに過ぎず、本発明は、本明細書における教示の利益を有する当業者にとって明らかな様々な等価の方法において、修正または実施されてよい。さらに、限定は、以下の特許請求の範囲に記載されたものを除いて、本明細書に示した構成または設計の詳細に向けられたものではない。それゆえ、上記で開示された特定の実施形態は、変更または修正されてもよく、すべてのそのような変形形態が、本発明の範囲および精神の範囲内で考慮されることが明らかである。本発明の例示的な実施形態が、本明細書において詳細に述べられたが、本発明がそうした厳密な実施形態に限定されず、本発明の範囲および精神から逸脱することなく、当業者により、本発明において様々な変更および修正がもたらされてよいことを理解すべきである。
【図１】
2017522095.tif 000003
【図２Ａ】
2017522095.tif 000004
【図２Ｂ】
2017522095.tif 000005
【図２Ｃ】
2017522095.tif 000006
【図３】
2017522095.tif 000007
【図４】
2017522095.tif 000008
【図５】
2017522095.tif 000009
【図６】
2017522095.tif 000010
【図７】
2017522095.tif 000011
【図８】
2017522095.tif 000012
【図９】
2017522095.tif 000013
【図１０】
2017522095.tif 000014
【図１１Ａ】
2017522095.tif 000015
【図１１Ｂ】
2017522095.tif 000016
【図１２Ａ】
2017522095.tif 000017
【図１２Ｂ】
2017522095.tif 000018
【図１３】
2017522095.tif 000019
【図１４Ａ】
2017522095.tif 000020
【図１４Ｂ】
2017522095.tif 000021
【図１５Ａ】
2017522095.tif 000022
【図１５Ｂ】
2017522095.tif 000023
【国際調査報告】
2017522095.tif 000024